(57)【要約】【課題】記憶媒体内の記録完了領域の断片化が進んでいる状態で、書込み能力情報に準じた書込み速度が得られない場合や、左記書込み能力情報と実際の書込み速度が異なる記憶媒体が装着された場合、実際の記録動作が開始された時点で、書込み可能か否かが判明することになり、ユーザーが記録したい重要な場面を逃してしまうといった問題が発生する。【解決手段】記憶媒体が装着された時点で、書込み能力を判断し、記憶が可能であった場合でも、装着された記憶媒体が記録対象でない場合、記録対象に選択されるまで、記憶媒体状の空き領域に対し、試験信号を書込み、書込み能力を判定し続けることで記憶媒体の記録信頼性を高める。【選択図】  図１
2013161491.tif 000002
【特許請求の範囲】
【請求項１】
複数の記憶媒体への記録が可能である画像記録装置において、
前記複数の記憶媒体に対し、記録対象とする記憶媒体を選択する記憶媒体選択手段と、
前記記憶媒体選択手段によって選択された記録対象とされる第一の記憶媒体と、
記録対象外とされる第二の記憶媒体と、
前記第二の記憶媒体への書込み試験を行う為の試験信号発生手段と、
前記第二の記憶媒体、および前記第一の記憶媒体に適用される、残量／記憶媒体情報検出手段と、
前記試験信号を前記残量／記憶媒体情報検出手段により検出された前記第二の記憶媒体に書き込む為の制御信号を生成する、試験信号書込み制御手段と、
前記試験信号を前記第二の記憶媒体に記録する試験信号書込み手段と、
前記試験信号の前記第二の記憶媒体への記録状態を監視する試験信号書込み監視手段と、
前記記憶媒体上に書き込まれた前記試験信号を消去する、試験信号消去手段を有し、
前記第一の記憶媒体が記録実行中に前記第二の記憶媒体が装着された場合、
装着時に、
前記残量／記憶媒体情報検出手段によって取得された、前記第二の記憶媒体情報を用いて、前記第二の記憶媒体への記録が可能か否かを判断し、
前記判断において記録可能であった場合、
前記第一の記憶媒体が記録動作を継続している限り、
前記試験信号を、前記第二の記憶媒体に前記試験信号書込み制御手段および、前記試験信号書込み手段を用いて書込み、前記試験信号書込み監視手段により、
前記第二の記憶媒体への記録が可能か否かを判断することを特徴とする画像記録装置。
【請求項２】
複数の記憶媒体への記録が可能である画像記録装置において、
前記複数の記憶媒体に対し、記録対象とする記憶媒体を選択する記憶媒体選択手段と、
前記記憶媒体選択手段によって選択された記録対象とされる第一の記憶媒体と、
記録対象外とされる第二の記憶媒体と、
前記第二の記憶媒体への書込み試験を行う為の試験信号発生手段と、
前記第二の記憶媒体、および前記第一の記憶媒体に適用される、残量／記憶媒体情報検出手段と、
前記試験信号を前記残量／記憶媒体情報検出手段により検出された前記第二の記憶媒体に書き込む為の制御信号を生成する、試験信号書込み制御手段と、
前記試験信号を前記第二の記憶媒体に記録する試験信号書込み手段と、
前記試験信号の前記第二の記憶媒体への記録状態を監視する試験信号書込み監視手段と、
前記記憶媒体上に書き込まれた前記試験信号を消去する、試験信号消去手段を有し、
前記第一の記憶媒体が記録実行中に前記第二の記憶媒体が装着された場合、
装着時に、
前記試験信号を所定回数、前記第二の記憶媒体に前記試験信号書込み制御手段および、前記試験信号書込み手段を用いて書込み、前記試験信号書込み監視手段により、前記第二の記憶媒体への記録が可能か否かを判断し、
前記判断において記録可能であった場合、
前記第一の記憶媒体が記録動作を継続している限り、
前記試験信号を、前記第二の記憶媒体に前記試験信号書込み制御手段および、前記試験信号書込み手段を用いて書込み、前記試験信号書込み監視手段により、
前記第二の記憶媒体への記録が可能か否かを判断することを特徴とする画像記録装置。
【請求項３】
前記記憶媒体は、ランダムアクセス可能な記憶媒体であることを特徴とする請求項１又は請求項２に記載の画像記録装置。
【請求項４】
前記試験信号は、本体内に予め格納された信号、或いは、撮像手段から生成される記録信号を用いることを特徴とする請求項１乃至請求項３の何れか１項に記載の画像記録装置。
【請求項５】
前記試験信号書込み監視手段における、前記試験信号書込み状態検出とは、前記記憶媒体へ前記試験信号が所定の時間内に記録できているか否かを判断することが可能であると共に、書込み時間を測定することも可能であることを特徴とする請求項１乃至請求項４の何れか１項に記載の画像記録装置。
【請求項６】
前記残量／記憶媒体情報検出手段は、記憶媒体の記録可能領域および記録可能容量および、記憶媒体内で保持された記憶媒体情報を検出することを特徴とする請求項１乃至請求項５の何れか１項に記載の画像記録装置。
【請求項７】
前記残量／記憶媒体情報検出手段で検出される記憶媒体情報とは、画像記録装置が有する、記録規格に沿って記録可能か否かを判断できる情報、または、書込み速度を示唆する情報を有することを特徴とする請求項１乃至請求項６の何れか１項に記載の画像記録装置。
【請求項８】
前記試験信号書込み制御手段は、書込み試験を実施する記憶媒体を選択し、前記選択された前記記憶媒体の空き領域に対し、試験信号記録要求を生成することを特徴とする請求項１１乃至請求項７の何れか１項に記載の画像記録装置。
【発明の詳細な説明】
【技術分野】
【０００１】
本発明は、画像を記憶媒体へ記録する装置に関し、特に  画像記録処理に使用される、記憶媒体の書込み能力検査方法に関するものである。
【背景技術】
【０００２】
近年、画像を記録する装置として、従来から知られている磁気テープに加え、光ディスクやハードディスクドライブ、フラッシュメモリ等のランダムアクセス可能な記録媒体を使ったデジタルビデオカメラ（以下、ＤＶＣ）が普及している。
【０００３】
また、静止画記録用として使われるデジタルスチルカメラ（以下、デジタルカメラ）においても、動画を記録できる機能を持ったものが多くなってきている。
【０００４】
これらの機器の特徴として、記録媒体へのランダムアクセスが可能であることが挙げられ、この点を利用し、複数の記憶媒体に対し様々な記録方式を実現させる機能が付加されている。
【０００５】
具体的には、記録中に記録対象となる記憶媒体を変更するスワップ記録などが挙げられる（非特許文献１参照）。
【０００６】
更に、上記記録機能の実現において、記録情報をリアルタイムに記録する為、バッファメモリを使用することが知られている（特許文献１参照）。
【０００７】
具体的には、上記バッファメモリ内に一定以上記録情報が蓄積された時点で、記憶媒体への記録動作に移行すること（間欠記録）が可能である為、記録動作停止状態中に記憶媒体の切換えを行うことで、スワップ記録が実現される。
【０００８】
なお、記録情報が多い場合、即ち記録ビットレートが高い場合、バッファメモリの蓄積速度も速くなる為、間欠記録動作も頻繁に行われる。そして、記録動作が間欠期間内に終了しない場合、バッファ領域が溢れ、正常に撮像画像記録が完了しない状態に陥る。
【０００９】
上記問題を回避し正常な記録を実現させる方法として、記憶媒体が装着された時点で、記憶媒体内に存在する書込み速度が定義された書込み能力情報を利用し、本体機器での記録に適切でない記憶媒体であった場合、記録動作に遷移する前に、予め適切でない旨の警告をユーザーに伝える技術が存在する。（非特許文献２参照）
【先行技術文献】
【特許文献】
【００１０】
【特許文献１】特開２００２−７７８２８号公報
【非特許文献】
【００１１】
【非特許文献１】「ＰＭＷ−ＥＸ３  ソリッドステートメモリーカムコーダ取り扱い説明書」  Ｓｏｎｙ株式会社
【非特許文献２】「ｉＶＩＳ  ＨＦ２１  取り扱い説明書」キヤノン株式会社
【発明の概要】
【発明が解決しようとする課題】
【００１２】
しかしながら、上述の特許文献に開示された従来技術では、記憶媒体内の記録完了領域の断片化が進んでいる状態で、書込み能力情報に準じた書込み速度が得られない場合や、左記書込み能力情報と実際の書込み速度が異なる記憶媒体が装着された場合、実際の記録動作が開始された時点で、書込み可能か否かが判明する場面が発生し、書込み不能であった場合、ユーザーが記録したい重要な場面を逃してしまうといった問題が発生する。
【００１３】
本発明の目的は、以上の問題を鑑みてなされたもので、記憶媒体が装着された時点で、書込み能力を判断し、記録が可能であった場合でも、装着された記憶媒体が記録対象でない場合は、記録対象に選択されるまで、記憶媒体状の空き領域に対し、試験信号を書込み、書込み能力を判定し続けることで、記憶媒体の記録信頼性を高めることを可能とした画像記録装置を提供することである。
【課題を解決するための手段】
【００１４】
複数の記憶媒体への記録が可能である画像記録装置において、
前記複数の記憶媒体に対し、記録対象とする記憶媒体をユーザーに選択させる記憶媒体選択手段と、
前記記憶媒体選択手段によって選択された記録対象とされる第一の記憶媒体と、
記録対象外とされる第二の記憶媒体と、
前記第二の記憶媒体への書込み試験を行う為の試験信号発生手段と、
前記第二の記憶媒体、および前記第一の記憶媒体に適用される、残量／記憶媒体情報検出手段と、
前記試験信号を前記残量／記憶媒体情報検出手段により検出された前記第二の記憶媒体に書き込む為の制御信号を生成する、試験信号書込み制御手段と、
前記試験信号を前記第二の記憶媒体に記録する試験信号書込み手段と、
前記試験信号の前記第二の記憶媒体への記録状態を監視する試験信号書込み監視手段と、
前記記憶媒体上に書き込まれた前記試験信号を消去する、試験信号消去手段を有し、
前記第一の記憶媒体が記録実行中に前記第二の記憶媒体が装着された場合、
装着時に、
前記残量／記憶媒体情報検出手段によって取得された、前記第二の記憶媒体情報を用いて、前記第二の記憶媒体への記録が可能か否かを判断し、
或いは、
前記試験信号を所定回数、前記第二の記憶媒体に前記試験信号書込み制御手段および、前記試験信号書込み手段を用いて書込み、前記試験信号書込み監視手段により、前記第二の記憶媒体への記録が可能か否かを判断し、
前記判断において記録可能であった場合、
前記第一の記憶媒体が記録動作を継続している限り、
前記試験信号を、前記第二の記憶媒体に前記試験信号書込み制御手段および、前記試験信号書込み手段を用いて書込み、前記試験信号書込み監視手段により、
前記第二の記憶媒体への記録が可能か否かを判断することを特徴とする画像記録装置。
【発明の効果】
【００１５】
本発明によれば、
記憶媒体内の記録完了領域の断片化が進んでいる状態で、書込み能力情報に準じた書込み速度が得られない場合や、左記書込み能力情報と実際の書込み速度が異なる記憶媒体が装着された場合に備え、
記憶媒体が装着された時点で、書込み能力を判断し、記憶が可能であった場合でも、装着された記憶媒体が記録対象でない場合、記録対象に選択されるまで、記憶媒体状の空き領域に対し、試験信号を書込み、書込み能力を判定し続けることで、
記憶媒体の記録信頼性を高め、装着された記憶媒体への記録不能と判断された時点で、ユーザーに警告表示などで知らせ、本番の記録前に対処する機会を与えることで、重要な場面を逃してしまうといった問題を回避させることを可能とした、画像記録装置を提供することである。
【図面の簡単な説明】
【００１６】
【図１】本発明の実施例における構成を表す図
【図２】実施例１を示すフローチャート
【図３】実施例１で使用される警告表示例
【図４】バッファオーバーに関する説明図
【図５】実施例２を示すフローチャート
【図６】実施例２で使用される警告表示例
【図７】記録ビットレート毎のバッファメモリ蓄積時間を表す図
【発明を実施するための形態】
【００１７】
以下に、本発明の好ましい実施の形態を、添付の図面に基づいて詳細に説明する。図１は、本発明の実施形態にかかわる画像記録装置の構成図である。なお、本実施例では、装着可能な記憶媒体数を２個で構成している。また、後述する試験信号を書込み試験に利用する構成となっているが、書込み試験信号には、撮像画像情報の使用も考えられる。
【００１８】
１−１は撮像手段を示しており、レンズ、固体撮像素子であるＣＣＤ（Ｃｈａｒｇｅ  Ｃｏｕｐｌｅｄ  Ｄｅｖｉｃｅ）、Ａ／Ｄ変換部などの回路が含まれる。
【００１９】
１−２はＣＣＤ信号処理部であり、ＣＣＤからの映像データに対し、ガンマ補正処理、補間処理、ホワイトバランス調整処理、ノイズリダクション処理など画質に関わる制御を具備し、画像信号として出力される。
【００２０】
１−３はエンコーダ部であり、ＣＣＤ信号処理部（１−２）で生成された、画像信号をＭＰＥＧ２（Ｈ．２６２）やＭＰＥＧ４  ＡＶＣ（Ｈ．２６４／ＡＶＣ）といった規格に準じた圧縮符号化が行われる。
【００２１】
１−４はバッファメモリであり、前記エンコーダ部で生成された記録情報が前記メモリ領域に蓄積される。なお、前記領域は、リングバッファ構造となっている為、特定期間内に、記憶媒体への記録処理が行われない場合、バッファ領域以上の記録情報が蓄積され、バッファオーバーを引き起こす。
【００２２】
１−５はバッファメモリ監視手段であり、バッファメモリ（１−４）上の記録情報蓄積状態を観測し、一定の容量に到達した場合、記録要求を生成する。
【００２３】
１−６は記録情報書き込み要求生成手段であり、前記バッファメモリ制御手段（１−５）において、記録要求を受け、後述する記録メディアＩ／Ｆ（１―１０）に記憶媒体（１−１５，１−１６）への記録情報書き込み要求を発行する手段である。なお、複数の記憶媒体が接続された場合、ユーザーに指定された記憶媒体への記録情報書込み要求を記録メディアＩ／Ｆ（１−１０）に発行する。
【００２４】
１−７は試験信号書込み制御手段であり、後述する試験信号発生手段にて生成された試験信号データの書込み要求を生成し、記録メディアＩ／Ｆ（１−１０）に発行する。なお、書込み要求の生成方法については、書込み試験を要する記憶媒体（実画像データの記録が行われていない記憶媒体）を選択することを特徴としている。また、後述する残量／記憶媒体情報検出手段（１−９）より得られる、記憶媒体の空き容量／空き領域情報を基に、書込み領域および書き込まれた試験信号の消去領域の指定を行う。
【００２５】
１−８は試験信号書込み監視手段であり、前記試験信号書込み制御手段により生成された、書込み要求に従い、記録メディアＩ／Ｆ（１−１０）を介し、試験信号発生手段（１−１４）にて生成された試験信号データを書込み試験対象となる記憶媒体（１−１５、１−１６）に書き込む際、所定の時間内で、試験信号データが書込み完了するか否かを監視し、書込みが出来なかった場合、必要に応じて、警告表示生成要求を後述する画像表示処理部（１−１７）に発行する。なお、所定の時間とは、記録ビットレートに応じて算出されるものであり、記録ビットレートが高くなるに連れ、時間は短くなる。
【００２６】
更に前記、試験信号書込み監視手段は、記憶媒体（１−１５、１−１６）への試験信号書込みに要した時間を計測することも処理も有している。
【００２７】
１−９は、残量／記憶媒体情報検出手段であり、後述する記憶メディアＩ／Ｆ（１−１０）を介し、記憶媒体（１−１５，１−１６）の空き容量および空き領域を検出する。なお、書込み試験実施対象となる記憶媒体の空き容量が無い場合、書込み試験は実施されない。また、前記、空き領域情報を基に、前記試験信号書込み制御手段（１−７）は書込み試験時の書込み領域を指定する。
【００２８】
１−１０は記録メディアＩ／Ｆであり、装着可能となる記憶媒体分のＡＴＡコントローラが搭載され、記録情報書き込み要求生成手段（１−６）および試験信号書込み制御手段（１−７）で生成された書込み要求に従い、記憶媒体（１−１５、１−１６）へバッファメモリ（１−４）に蓄積された記録情報または、後述する試験信号発生手段（１−１４）で生成された試験信号データを後述する試験信号書込み手段（１−１２）またはバッファメモリ情報書込み手段（１−１３）を介し記録処理を行う。
【００２９】
１−１１は試験信号消去手段であり、後述する試験信号書込み手段（１−１２）によって書き込まれた試験信号の消去処理を行う。なお、消去アドレス／消去サイズは、試験信号書込みアドレス／書込みサイズと同一のものである。
【００３０】
１−１２は試験信号書込み手段であり、試験信号書込み制御手段（１−７）から要求のあった、書込みタイミング／書込み領域情報に応じて、後述する試験信号発生手段（１−１４）にて生成された試験信号データを、書込み試験対象記憶媒体（１−１５、１−１６）に書込む処理を行う。
【００３１】
１−１３は、バッファメモリ情報書込み手段であり、通常記録時（撮像手段（１−１）から生成された情報を記録する方法）、バッファメモリ監視手段（１−５）および、記録情報書込み要求生成手段（１−６）により生成された、書込み要求に応じ、記憶媒体（１−１５、１−１６）への書込み処理を行う。
【００３２】
１−１４は、試験信号発生手段であり、書込み試験で使用する試験信号の生成を行う。ここでいう試験信号とは、後述するＲＯＭ（１−２２）に予め格納された試験信号または、バッファメモリ（１−４）に蓄積された記録情報を示す。なお、ROM（１−２２）上に格納される試験信号は、通常記録時の書込み処理で、１回の書込み要求で書き込まれる最大データ量に等しい書込みデータを格納している。
【００３３】
１−１５は、記憶媒体１であり、内蔵／着脱可能な記憶媒体を示している。本実施例ではメモリカードを想定しているが、HDDなども適用の範囲となる。
【００３４】
１−１６は、記憶媒体２であり、記憶媒体１と同様の構成である。なお、記憶媒体１（１−１５）と記憶媒体２（１−１６）は、両方ともメモリカードなどというように同一タイプの記憶媒体である必要は無い。
【００３５】
１−１７は画像表示処理部であり、試験信号書込み監視部（１−８）で生成された警告表示生成要求を基に、各種警告画面を生成し、撮像装置（１−１）／ＣＣＤ信号処理部（１−２）を経て生成された撮影画像に重畳し、外部モニターや本体パネルに出力する為の画像を生成する。なお、撮影画像に重畳される表示は、警告表示に限らず、記録情報表示やユーザー設定表示なども含む。
【００３６】
１−１８は表示部であり、画像表示処理部（１−１７）で生成された画像を表示する為、コンポジット端子、D端子、それらに出力する為に必要な７５ΩDrvおよびLCDパネル／HDMI端子／SDI端子といった映像出力端子／回路が具備されている。
【００３７】
１−１９は記憶媒体選択手段であり、記録対象とする記憶媒体を選択する。なお選択方法に関しては、ユーザーから選択される場合と、記録中の記憶媒体の空き容量が無くなり、自動で記憶媒体を選択するというように、本体機器で選択する場合が存在する。
【００３８】
１−２０はCPUであり、上記説明に用いた各種処理を所定のプログラムに基づいて実行されるものであり、内部に前記プログラムを保存する為のROM（１−２２）とワークメモリ（１−２１）としてRAMが設けられ、更に設定データを保存する為の不揮発性メモリも設けられている。
【実施例１】
【００３９】
以下、図２、図３、図４を参照して、本発明の第１の実施例による、撮像画像を記憶媒体１に記録中に記憶媒体２が装着された場合の試験書込み処理および、書込み処理が正常終了しなかった場合の処理について説明する。
【００４０】
図２は撮像手段（１−１）、ＣＣＤ信号処理（１−２）、エンコーダ（１−３）を介し生成された撮像データを記憶媒体１（１−１５）に記録中に、記憶媒体２（１−１６）が装着された際、記憶媒体２（１−１６）に対し、実施される試験信号書込み動作に関するフローチャートである。
【００４１】
まず、記憶媒体を装着するスロット２に記憶媒体２（１−１６）が装着された場合（２−１）、記憶媒体２（１−１６）に対し、ＦＡＴおよび記録規格に関するＭｏｕｎｔ処理を実施し（２−２）、Ｍｏｕｎｔが正常に終了した場合（２−３）、空き領域検出処理（２−４）に遷移し、正常に終了しなかった場合、記憶媒体２への記録は不可能と判断し、警告表示処理（２−２３）に遷移する。
【００４２】
そして、空き領域検出処理（２−４）により空き領域（Ａ）および空き領域アドレスを使用し、空き領域（Ａ）が、試験信号書込み処理に必要な容量（Ｘ）より多いか否かを判定し（２−５）、多い場合は、試験信号書込み処理が実行できると判断し、空き領域（Ａ）検出処理（２−４）で検出された空き領域アドレスを用い、試験信号書込みアドレスを設定し（２−６）、試験信号発生手段（１−１４）にて生成された試験信号を前記設定アドレスからの書込み処理を実施する（２−７）。
【００４３】
前記書込み状態を試験信号書込み監視手段（１−８）で監視し（２−８）、所定の時間内に書込みが完了した場合、試験書込みが正常終了したと判断し、前記書込み処理実行した領域を試験信号消去手段（１−１１）を介し、消去処理を実行し（２−９）、更に、記憶媒体２の別の空き領域に対し試験信号の書込み処理を実行する為、試験信号書込みアドレスを変更する（２−１０）。なお、試験書込みが所定時間内に終了しなかった場合、撮像データの記録には不適切な記憶媒体と判断し、警告表示処理（２−２３）に遷移する。
【００４４】
以上の処理は、記憶媒体２がＭｏｕｎｔされた時に実行される処理であり、Ｍｏｕｎｔ後の処理を２−１１以降のフローを用いて以下に説明する。
【００４５】
まず、残量／記憶媒体情報検出手段（１−９）から取得された、撮像データが記録されている記憶媒体１の残量情報（Ｂ）を用いて（２−１１）、記憶媒体１の記録可能時間（Ｃ）を算出し（２−１２）、試験信号書込み処理および消去処理に必要となる処理時間（Ｙ）より、多い場合、試験信号書込みの処理に遷移し、少ない場合、試験信号書込み処理／消去処理は実施不能と判断し（２−１３）、速やかに記憶媒体２を撮像データ記録待機状態に遷移させ、記憶媒体１の記録容量がＦｕｌｌとなった時点で、記憶媒体１の記録動作を終了させ、記憶媒体２への撮像データ書込み処理に遷移させる（２−１４〜２−１７）。
【００４６】
また、２−１３の処理において、試験信号書込み処理が可能と判断された場合、前記２−７〜２−１０までの処理を記憶媒体１の記録可能時間（Ｃ）が試験信号書込み処理および消去処理に必要となる処理時間（Ｙ）より多い限り継続する（２−１８〜２−２１）。
【００４７】
なお、２−８、２−１３の試験信号書込み判定処理において、所定時間内に試験信号書込み処理が終了しなかった場合も、書込み領域の消去処理が実行される。（２−２２）
また、警告表示処理（２−２３）は試験信号書込み処理で、正常に書込みが終了しなかった場合、ユーザーに対し、記憶媒体２への撮像データ書込みは不能である旨の警告表示を実施する。
【００４８】
図３は、記憶媒体２への書込み処理が正常終了しなかった場合の警告表示例であり、記憶媒体１への撮像データ記録処理が行われているので、半透明などの警告表示などが考えられる。
【００４９】
図４を用いて、試験信号書込み監視手段（１−８）および、図２のフローチャートで説明される試験信号書込み判定処理（２−８、２−１９）で使用される、“所定の時間”についての算出方法について説明する。
【００５０】
本時間は、バッファメモリ（１−４）に蓄積される、エンコーダ（１−３）を介した撮像データが、所定容量蓄積された場合（本図４ではメモリ容量の７０％）、記憶媒体への書込み処理が実行されるが、本書込み処理が正常に終了されるまでの時間を“所定の時間”と定義する（本図４では“ｔ”を示す）。なお、正常に書込み処理が実行できなかった場合、バッファメモリ（１−４）はバッファオーバーを引き起こすこととなる。
【実施例２】
【００５１】
以下、図５、図６、図７を参照して、本発明の第２の実施例による、撮像画像を記憶媒体１に記録中に記憶媒体２が装着された場合の試験書込み処理および、書込み処理が正常終了しなかった場合の処理について説明する。
【００５２】
図５は撮像手段（１−１）、ＣＣＤ信号処理（１−２）、エンコーダ（１−３）を介し生成された撮像データを記憶媒体１（１−１５）に記録中に、記憶媒体２（１−１６）が装着された際、記憶媒体２（１−１６）に対し、実施される試験信号書込み動作に関するフローチャートである。
【００５３】
まず、記憶媒体を装着するスロット２に記憶媒体２（１−１６）が装着された場合（５−１）、記憶媒体２（１−１６）に対し、ＦＡＴおよび記録規格に関するＭｏｕｎｔ処理を実施し（５−２）、Ｍｏｕｎｔが正常に終了した場合（５−３）、空き領域検出処理（５−４）に遷移し、正常に終了しなかった場合、記憶媒体２への記録は不可能と判断し、警告表示処理（５−２５）に遷移する。
【００５４】
そして、空き領域検出処理（５−４）により空き領域（Ａ）および空き領域アドレスを使用し、空き領域（Ａ）が、試験信号書込み処理に必要な容量（Ｘ）より多いか否かを判定し（５−５）、多い場合は、試験信号書込み処理が実行できると判断し、空き領域（Ａ）検出処理（５−４）で検出された空き領域アドレスを用い、試験信号書込みアドレスを設定し（５−６）、試験信号発生手段（１−１４）にて生成された試験信号を前記設定アドレスからの書込み処理を実施する（５−７）。
【００５５】
前記書込み状態を試験信号書込み監視手段（１−８）で監視し（５−８）、所定の時間内に書込みが完了した場合、試験書込みが正常終了したと判断し、前記書込み処理実行した領域を試験信号消去手段（１−１１）を介し、消去処理を実行し（５−９）、更に、記憶媒体２の別の空き領域に対し試験信号の書込み処理を実行する為、試験信号書込みアドレスを変更する（５−１０）。なお、試験書込みが所定時間内に終了しなかった場合、撮像データの記録には不適切な記憶媒体と判断し、警告表示処理（５−２５）に遷移する。
【００５６】
以上の処理は、記憶媒体２がＭｏｕｎｔされた時に実行される処理であり、Ｍｏｕｎｔ後の処理を５−１１以降のフローを用いて以下に説明する。
【００５７】
まず、残量／記憶媒体情報検出手段（１−９）から取得された、撮像データが記録されている記憶媒体１の残量情報（Ｂ）を用いて（５−１１）、記憶媒体１の記録可能時間（Ｃ）を算出し（５−１２）、試験信号書込み処理および消去処理に必要となる処理時間（Ｙ）より、多い場合、試験信号書込みの処理に遷移し、少ない場合、試験信号書込み処理／消去処理は実施不能と判断し（５−１３）、速やかに記憶媒体２を撮像データ記録待機状態に遷移させ、記憶媒体１の記録容量がＦｕｌｌとなった時点で、記憶媒体１の記録動作を終了させ、記憶媒体２への撮像データ書込み処理に遷移させる（５−１４〜５−１７）。
【００５８】
また、５−１３の処理において、試験信号書込み処理が可能と判断された場合、前記５−７〜５−１０までの処理を記憶媒体１の記録可能時間（Ｃ）が試験信号書込み処理および消去処理に必要となる処理時間（Ｙ）より多い限り継続する。
【００５９】
上記書込み処理（５−１８〜５−２３）処理については以下のとおりである。
【００６０】
まず、試験信号書き込みを実行し（５−１８）、試験信号書込み監視手段（１−８）において、書込み完了時間を計測し（５−１９）、試験信号書込み処理が終了しない場合は、書込み処理が正常に終了しなかったと判断し（５−２０）、書込み信号消去処理（５−２４）および警告表示処理（５−２５）に遷移する。
【００６１】
そして、書込み処理が終了した場合（５−２０）、書込み信号消去処理（５−２１）を実行した後、前記書込み完了時間に応じ、記録可能なビットレートを判定し、必要に応じて、左記判定結果を画像表示処理部（１−１７）を介してユーザーに認識される処理を実行し、再び試験信号書込みを異なる空き領域に実行すべく、書込みアドレス変更処理（５−２３）を実施する。
【００６２】
なお、記録可能なビットレートの算出方法については、図７を用いて説明する。まず、撮像データを記録する場合、記録情報が多い、即ち記録ビットレートが高い場合、バッファメモリ（１−４）への蓄積速度も速く、逆に記録ビットレートが低い場合、蓄積速度は遅くなる。よって、記憶媒体への書き込み要求発生間隔も記録ビットレートが高くなるにつれて短縮される。ちなみに、図７では、記録ビットレート２４Ｍｂｐｓと１７Ｍｂｐｓでは、２４Ｍｂｐｓの要求発生間隔の方が短いことを示している。これらのことを考慮した場合、撮像装置内で設定可能な記録ビットレート毎の書込み最大時間を撮像装置内で保持しておき、試験信号書込み処理で実測された書込み時間と比較することで、各種記録ビットレート毎に記録可能か否かの判定が可能となる。
【００６３】
最後に、５−８、５−２０の試験信号書込み判定処理において、所定時間内に試験信号書込み処理が終了しなかった場合も、書込み領域の消去処理が実行される。（５−２４）
また、警告表示処理（５−２５）は試験信号書込み処理で、正常に書込みが終了しなかった場合、ユーザーに対し、記憶媒体２への撮像データ書込みは不能である旨の警告表示を実施する。
【００６４】
図６は、記憶媒体２への書込み処理が正常終了しなかった場合の警告表示例であり、本体内で設定可能な記録ビットレートにおいて、どの記録ビットレートが記録可能であるかを表示することが可能である。また、表示方法については、記憶媒体１への撮像データ記録処理が行われているので、半透明などの警告表示などが考えられる。
【００６５】
以上、本発明の好ましい実施形態について説明したが、本発明はこれらの実施形態に限定されず、その要旨の範囲内で種々の変形及び変更が可能である。
【符号の説明】
【００６６】
１−１    撮像手段
１−２    ＣＣＤ信号処理部
１−３    エンコーダ
１−４    バッファメモリ
１−５    バッファメモリ監視手段
１−６    記録情報書込み要求生成手段
１−７    試験信号書込み制御手段
１−８    試験信号書込み監視手段
１−９    残量／記憶媒体情報検出手段
１−１０  記録メディアＩ／Ｆ
１−１１  試験信号消去手段
１−１２  試験信号書込み手段
１−１３  バッファメモリ情報書込み手段
１−１４  試験信号発生手段
１−１５  記憶媒体１
１−１６  記憶媒体２
１−１７  画像表示処理部
１−１８  表示部
１−１９  記憶媒体選択手段
１−２０  ＣＰＵ
１−２１  ワークメモリ
１−２２  ＲＯＭ
【図１】
2013161491.tif 000003
【図２】
2013161491.tif 000004
【図３】
2013161491.tif 000005
【図４】
2013161491.tif 000006
【図５】
2013161491.tif 000007
【図６】
2013161491.tif 000008
【図７】
2013161491.tif 000009